(57)【要約】【課題】一人の作業員で浴槽湯口装置の取付作業ができるようにした浴槽湯口装置の湯口本体フランジ部に使用するフランジパッキンを提供するものである。  また、本考案は、上記取付作業が浴槽厚みに応じて簡単容易に行うことができる浴槽湯口装置の湯口本体フランジ部に使用するフランジパッキンを提供する。【解決手段】浴槽湯口装置において、湯口本体フランジ部２１に、フランジパッキン２３又は２３Ｂ又は２３Ｃであって、Ｕ字状のフランジパッキン２３１又は２３１Ｂ又は２３１Ｃの一端に１個又は複数個の突起２３１２付きの円筒状の嵌合筒２３１１又は円筒状の嵌合筒２３１１Ｂ又は円弧状の嵌合片２３１１Ｃを突出させたものを嵌合させるものである。【選択図】        図５−１
0003133478.tif 000002
【実用新案登録請求の範囲】
【請求項１】
湯口本体２０又は２０Ｂのフランジ部２１又は２１Ｂの内部に、給湯管２０１又は２０１Ｂと戻湯管２０２又は２０２Ｂを設け、フランジ部２１又は２１ＢにＵ字状のフランジパッキン２０３又は２０３Ｂを嵌合して浴槽外壁８１と密着させたのち、浴槽内壁８２から湯口部１０又は１０Ｂを湯口本体２０又は２０Ｂに固着できるようにした浴槽湯口装置において、フランジパッキン２０３又は２０３Ｂに代えて、フランジパッキン２３又は２３Ｂ又は２３Ｃであって、Ｕ字状のフランジパッキン２３１又は２３１Ｂ又は２３１Ｃの一端に１個又は複数個の突起２３１２付きの円筒状の嵌合筒２３１１又は円筒状の嵌合筒２３１１Ｂ又は円弧状の嵌合片２３１１Ｃを突出させたものを使用して、浴槽外壁８１から、フランジパッキン２３又は２３Ｂ又は２３Ｃの嵌合筒２３１１又は２３１１Ｂ又は嵌合片２３１１Ｃを介して、湯口本体２０又は２０Ｂを浴槽開口部８００に挿入して密着固定させたのち、浴槽開口部８００に固定した湯口本体２０又は２０Ｂに、浴槽内壁８２から湯口部１０又は１０Ｂをねじ締めして、一人の作業員で浴槽湯口装置を取りつけることができるようにしたことを特徴とする浴槽湯口装置の湯口本体フランジ部に使用するフランジパッキン。
【請求項２】
前記嵌合筒２３１１Ｂ又は嵌合片２３１１Ｃが、浴槽壁８０の厚みに合わせて切断できるように形成されていることを特徴とする請求項１記載の浴槽湯口装置の湯口本体フランジ部に使用するフランジパッキン。
【考案の詳細な説明】
【技術分野】
【０００１】
本考案は、作業員一人で浴槽湯口装置が取りつけられるようにするための、浴槽湯口装置の湯口本体フランジ部に使用するフランジパッキンに関する。
【背景技術】
【０００２】
従来の浴槽湯口装置は、図８及び図９に示すように、湯口本体２０又は２０Ｂと湯口部１０又は１０Ｂとからなり、これらを浴槽８０に取りつけるためには、内部に給湯管２０１又は２０１Ｂ及び戻湯管２０２又は２０２Ｂを内設した湯口本体２０又は２０Ｂのフランジ部２１又は２１Ｂの外縁まわりにＵ字状フランジパッキン２０３又は２０３Ｂを嵌合して、一人の作業員が浴槽外壁８１から浴槽開口部８００に湯口本体２０又は２０Ｂのフランジパッキンを密着させるように手で保持しながら、他の作業員が浴槽内壁８２から湯口部１０又は１０Ｂを、湯口本体２０又は２０Ｂにねじ締めしていたが、これらの作業を一人の作業員で作業できるように省力化することが要望されていた。
本考案者は、湯口本体のフランジ部に、浴槽開口部に挿入して湯口本体２０又は２０Ｂをフランジパッキンを介して、浴槽外側から、密着固定できるように、嵌合筒又は嵌合片を設けたフランジパッキンを挿入したのち、次いで浴槽内側に移り、同じ作業員が浴槽内壁から湯口部を取りつけて省力化することに成功した。
【特許文献１】特願２００７−５９８８２号明細書
【特許文献１】特開平１１−２５７７３１号公報
【特許文献１】特開平１１−２８７５２０号公報
【考案の開示】
【考案が解決しようとする課題】
【０００３】
本考案は、一人の作業員で浴槽湯口装置の取付作業ができるようにした浴槽湯口装置の湯口本体フランジ部に使用するフランジパッキンを提供するものである。
また、本考案は、上記取付作業が浴槽厚みに応じて簡単容易に行うことができる浴槽湯口装置の湯口本体フランジ部に使用するフランジパッキンを提供するものである。
【課題を解決するための手段】
【０００４】
本考案浴槽湯口装置の湯口本体フランジ部に使用するフランジパッキンは、上記課題を達成するため、図示するように、請求項１の考案は、湯口本体２０又は２０Ｂのフランジ部２１又は２１Ｂの内部に、給湯管２０１又は２０１Ｂと戻湯管２０２又は２０２Ｂを設け、フランジ部２１又は２１ＢにＵ字状のフランジパッキン２０３又は２０３Ｂを嵌合して浴槽外壁８１と密着させたのち、浴槽内壁８２から湯口部１０又は１０Ｂを湯口本体２０又は２０Ｂに固着できるようにした浴槽湯口装置において、フランジパッキン２０３又は２０３Ｂに代えて、フランジパッキン２３又は２３Ｂ又は２３Ｃであって、Ｕ字状のフランジパッキンの本体２３１又は２３１Ｂ又は２３１Ｃの一端に円筒状の嵌合筒２３１１又は２３１１Ｂ又は円弧状の嵌合片２３１１Ｃを突出させたものを使用して、浴槽外壁８１から、フランジパッキン２３又は２３Ｂ又は２３Ｃの嵌合筒２３１１又は２３１１Ｂ又は嵌合片２３１１Ｃを介して、湯口本体２０又は２０Ｂを浴槽開口部８００に挿入して密着固定させたのち、浴槽開口部８００に固定した湯口本体２０又は２０Ｂに、浴槽内壁８２から湯口部１０又は１０Ｂをねじ締めして、一人の作業員で浴槽湯口装置を取りつけることができるようにしたものである。
また、本考案の浴槽湯口装置の湯口本体２０又は２０Ｂフランジ部２１又は２１Ｂに使用するフランジパッキンは、上記課題を達成するため、図示するように、請求項２の考案は、請求項１の考案において、前記嵌合筒２３１１Ｂ又は嵌合片２３１１Ｃが、浴槽壁８０の厚みに合わせて切断できるように形成されているものである。
本考案において、フランジパッキンに設けた嵌合筒又は嵌合片は、浴槽開口部に挿入して湯口本体を密着固定しやすく、また、浴槽厚みに応じて切断しやすい材質であることが必要で、ゴム・合成樹脂製が好ましい。
また、本考案において、嵌合片は、２個又は２個以上設けてもよい。
【考案の効果】
【０００５】
本考案浴槽湯口装置の湯口本体フランジ部に使用するフランジパッキンは、湯口本体を浴槽開口部に嵌入して密着固定できる嵌合筒又は嵌合片を連設しているので、作業員は一人で、フランジパッキンを装着した湯口本体を浴槽外側から浴槽開口部に挿入して密着固定させたのち、浴槽内側から湯口部を湯口本体にねじ締めすればよく、また、その際、浴槽厚みに応じてフランジパッキンの嵌合筒又は嵌合片を切断して挿入して湯口本体を密着固定できるので、作業は簡単容易かつ迅速にできることになる。
【考案を実施するための最良の形態】
【０００６】
本考案実施例１は、図１乃至図６に示されている。また、本考案実施例２は、図７に示されている。
【実施例１】
【０００７】
本考案実施例の浴槽湯口装置の湯口本体フランジ部に使用するフランジパッキンを説明する前に、本考案実施例に使用した浴槽湯口装置の一例を、図５及び図６により説明する。
本考案実施例の浴槽湯口装置は、継手管５０と、本体２０又は２０Ｂと、押え金３０と、湯口部１０と、網カバー４０とを備えている。
継手管５０は、図５に示すように、たけのこ状に形成された継手胴５１、５２と、つば５０１、５０２と、Ｏリング５０５、５０６を設けたシール管５０３、５０４とからなり、継手胴５１、５２は、給湯配管（図示しない）及び戻湯配管（図示しない）に接続できるように形成されている。
つば５０１、５０２は、継手胴５１、５２の後部に立設されて後述する湯口本体２０の給湯管２０１及び戻湯管２０２の各先端に設けたつば２０１１、２０２２と固定具７１、７２を嵌合することにより管接続できるようにしている。
湯口本体２０は、図５に示すように、フランジ部２１とフランジ部２１に内設した給湯管２０１と戻湯管２０２と、フランジ部２１外縁に嵌着したフランジパッキン２３、２３Ｂ又は２３Ｃとからなり、フランジ部２１は、中心部２１１に螺孔２１０１を備え、螺孔２１０１の左右に給湯管２０１及び戻湯管２０２への連通孔２１０２、２１０３が形成されている。
また、給湯管２０１の先端には つば２０１１が立設され、戻湯管２０２の先端には つば２０２１が立設されている。
フランジパッキンは、図１及び図２に示すように、パッキン本体２３１と、嵌合筒２３１１と、１個又は複数個の突起２３１２とを備えている。
パッキン本体２３１は、断面コの字の円環状に形成されて、フランジ部２１外縁に嵌着されている。
嵌合筒２３１１は、パッキン本体２３１の一方の内周縁に円筒状に連設して突出している。
突起２３１２は、嵌合筒２３１１の後端外周に断面半円形状に環状に形成されている。
上記嵌合筒は、図３に示すように、後端の突起を除いた嵌合筒２３１１Ｂとして、浴槽壁の厚みに合わせて切断できるようにしたものでも好い。また、浴槽壁の厚みより長い場合、図５−２に示すように、浴槽壁内壁から湯口部１０を差し込んで取りつけるときに、長い部分を折り曲げて湯口部１０で圧着してもよい。
また、図４に示すように、嵌合筒の代わりに、円弧状の複数の嵌合片２３１１Ｃを設けたものでも好い。この嵌合片２３１１Ｃも浴槽壁の厚みに合わせて切断できるが、長い部分を切断せずに、折り曲げてあとで湯口部１０で圧着してもよい。
押え金３０は、図５に示すように、長板３１と締付ねじ３０１とからなり、長板３１は、長方形に形成され、中心部に締付ねじ３０１の貫入する孔３００１を設けている。
締付ねじ３０１は、ヘッド３０１１に湯口部１０のねじ１０３が螺着できる螺孔３０１２を設けている。
湯口部１０は、図５及び図６に示すように、箱体１００と給湯内管１０１と戻湯内管１０２と仕切室１１、１２、１３と開閉弁１５１Ａ、１５２Ａと給湯口１４とからなる。
給湯内管１０１と戻湯内管１０２は、箱体１００の中央部から水平に平行に並べて連設され、図５に示すように、それぞれ先端にＯリング１０１１、１０２１が装着されている。
開閉弁１５１Ａ、１５２Ａは、図６に示すように、２個の平板状弁から形成され、箱体１００の仕切室１１の下端に設けた開口１１１及び仕切室１３の下端に設けた開口１３１の一方を開き、他方を閉じることができるように、軸１５１１Ａ、１５２１Ａで箱体１００に軸着している。
網カバー４０は、図５に示すように、ステンレス板４１をトレイ状に成型して、前面にメッシュ窓４２を打ち抜いたもので、湯口部１０の箱体１００に外嵌して係合できるように形成されている。
従って、浴槽湯口装置を取り付ける時は、図５に示すように、湯口本体２０の給湯管２０１の先端に、継手胴５１に給湯配管（図示しない）を接続した継手管５０のシール管５０３を嵌入し、また、戻湯管２０２の先端に、継手胴５２に戻湯配管（図示しない）を接続した継手管５０のシール管５０４を嵌入し、継手管５０のつば５０１と給湯管２０１のつば２０１１に固定具７１を嵌着して固定し、また、継手管５０のつば５０２と戻湯管２０２のつば２０２１に固定具７２を嵌着して固定したのち、湯口本体２０のフランジ部２１の外縁にフランジパッキン本体２３１、２３１Ｂ又は２３１Ｃを嵌合し、浴槽壁８０の開口部８００に浴槽外壁８１からフランジパッキン２３、２３Ｂ又は２３Ｃの嵌合筒２３１１又は２３１１Ｂ又は嵌合片２３１１Ｃを挿入し、突起２３１２で抜け止めする。場合により、フランジパッキン２３Ｂ又は２３Ｃを使用して、浴槽厚みに応じて嵌合筒２３１１Ｂ又は嵌合片２３１１Ｃを切断して挿入し、又は長い部分を折り曲げて湯口部１０で圧着してもよい。本考案フランジパッキン２３、２３Ｂ又は２３Ｃにより湯口本体２０を密着固定して、浴槽外側の作業を終了したのち、浴槽内側に入り、浴槽内壁８２から締付ねじ３０１を介して押え金３０で湯口本体２０をねじ締めし、湯口部１０の給湯内管１０１及び戻湯内管１０２を湯口本体２０の給湯管２０１及び戻湯管２０２の中にそれぞれ挿入してねじ１０３でねじ締めし、さらに、網カバー４０を湯口部１０の箱体１００に係合することにより浴槽湯口装置の浴槽への取付け作業は作業員１名で終了することになる。
【実施例２】
【０００８】
本考案の実施例２が図７に示されている。
本考案実施例２の浴槽湯口装置の湯口本体フランジ部に使用するフランジパッキンを説明する前に本実施例に使用した浴槽湯口装置の別の一例を説明する。
本考案実施例の浴槽湯口装置は、湯口本体２０Ｄと湯口部１０Ｄとからなる。
湯口本体２０Ｄは、前端にフランジ部２１Ｄを連設し、後端に給湯管２０１Ｄ及び戻湯管２０２Ｄを連設し、前端フランジ部２１Ｄに内接してめねじ管２１０１Ｄが設けられている。
湯口部１０Ｄは、前面に給湯口１０１Ｄと戻湯口１０２Ｄを備え、後面側におねじ管１０３Ｄが連設されている。
湯口本体２０Ｄのフランジ部２１Ｄの外縁に、フランジパッキン２３、２３Ｂ又は２３Ｃが嵌着される。
フランジパッキン２３、２３Ｂ又は２３Ｃの詳細は実施例１と同じであるので詳細説明は省略する。
湯口本体２０Ｄのめねじ管２１０１Ｄに湯口部１０Ｄのおねじ管４１Ｄを螺合して、湯口本体２０Ｄの給湯通路２０１１Ｄと戻湯通路２０２１Ｄを湯口部１０Ｄに連結して湯口部１０Ｄを介して浴槽８０の給湯と戻湯とを行うものである。
従って、浴槽湯口装置を取りつけるときは、図７に示すように、湯口本体２０Ｄの給湯管２０１Ｄの先端に給湯配管（図示しない）を接続し、戻湯管２０２Ｄに戻湯配管（図示しない）を接続したのち、湯口本体２０Ｄのフランジ部２１Ｄの外縁にパッキン本体２３１、２３１Ｂ又は２３１Ｃを被せ、嵌合筒２３１１又は２３１１Ｂ、または、嵌合片２３１１Ｃを浴槽開口部８００に浴槽外壁８１から挿入して、場合により浴槽厚みに合わして切断して挿入し、又は長い部分を折り曲げてあとで湯口部１０で圧着できるようにして湯口本体２０Ｄを密着固定して、浴槽外側の作業を終了したのち、浴槽内側に入り、浴槽内壁８２から湯口部１０Ｄのおねじ管１０３Ｄをパッキン２０４Ｄを介してねじ締めすれば、浴槽湯口装置の浴槽への取付けは終了する。
【産業上の利用可能性】
【０００９】
本考案の浴槽湯口装置の湯口本体フランジ部に使用するフランジパッキンは、構造簡単で量産でき安価に製作できる。
【図面の簡単な説明】
【００１０】
【図１】本考案実施例のフランジパッキンの説明図である。
【図２】図１の縦断面図である。
【図３】別の本考案実施例のフランジパッキンの説明図である。
【図４】さらに別の本考案実施例のフランジパッキンの説明図である。
【図５−１】フランジパッキンの使用状態説明図である。
【図５−２】フランジパッキンの別の使用状態説明図である。
【図６】図５の湯口部の説明図である。
【図７】フランジパッキンの別の使用状態説明図である。
【図８】従来例の浴槽湯口装置の断面図である。
【図９】別の従来例の浴槽湯口装置の断面図である。
【符号の説明】
【００１１】
１０、１０Ｂ                  湯口部
２０、２０Ｂ                  湯口本体
２１、２１Ｂ                  フランジ部
２０１、２０１Ｂ              給湯管
２０２、２０２Ｂ              戻湯管
２０３、２０３Ｂ              フランジパッキン
２３、２３Ｂ、２３Ｃ          フランジパッキン
２３１、２３１Ｂ、２３１Ｃ    パッキン本体
２３１１、２３１１Ｂ          嵌合筒
２３１１Ｃ                    嵌合片
８０                          浴槽
８１                          浴槽外壁
８２                          浴槽内壁
８００                        浴槽開口部
【図１】
0003133478.tif 000003
【図２】
0003133478.tif 000004
【図３】
0003133478.tif 000005
【図４】
0003133478.tif 000006
【図５−１】
0003133478.tif 000007
【図５−２】
0003133478.tif 000008
【図６】
0003133478.tif 000009
【図７】
0003133478.tif 000010
【図８】
0003133478.tif 000011
【図９】
0003133478.tif 000012